(57)【特許請求の範囲】
【請求項１】
住宅等の建物に設けられた洗面所の採光構造において、
前記洗面所は、建物の最上階よりも下方の階に配置されており、
前記洗面所の少なくとも一部の上方は、この洗面所が配置された階から、この階よりも上方の階を通過し、建物の屋根に設けられた天窓まで吹き抜ける吹抜け部とされている洗面所の採光構造であって、
前記洗面所および吹抜け部は、建物の外壁の内側面に沿って配置され、この外壁の上部に、前記屋根が設けられており、
前記吹抜け部は、前記外壁の内側面を含む複数の壁面によって囲まれており、前記洗面所が配置された階よりも上方の階に対して閉塞されており、
前記吹抜け部の下端部は、前記洗面所に向かって開口する開口部となっており、この開口部には、前記洗面所の天井と略面一となるようにルーバーが設けられており、
前記洗面所は、洗面台が設置される洗面台置場と、洗濯機が設置される洗濯機置場とを備えており、
前記洗面台置場および前記洗濯機置場は、前記吹抜け部の下方に配置されてなり、
前記洗面台置場と前記洗濯機置場との間には、前記洗面所の床から天井までの高さよりも若干高くなるように設定された仕切り壁が、前記外壁の内側面から洗面所の中央側に突出するように設けられるとともに、
前記仕切り壁の上端部のうち洗面所中央側の端部には、前記洗面所の天井の下面の位置と、前記吹抜け部を構成する壁面の下端部の位置とに合わせて切欠部が形成されており、前記天井の外壁側端部の一部と、前記吹抜け部の壁面を構成する面材の下端部の一部とが、前記切欠部の上面に載せられて支持されていることを特徴とする洗面所の採光構造。
【発明の詳細な説明】
【技術分野】
【０００１】
本発明は、住宅等の建物に設けられた洗面所の採光構造に関する。
【背景技術】
【０００２】
住宅等の建物では、居住者がふだん生活するリビングルームや各自の部屋を南側に配置するなどして、これらリビングルームや各自の部屋の採光性の向上を図る場合がある。これに対し、洗面台や洗濯機が設置される洗面所は、比較的日が当たりにくい建物の北側に配置される場合がある（例えば、特許文献１参照）。また、洗面所は、二階建て建物の一階や、三階建て建物の一階や二階等のように、隣家の陰になりやすい建物の低い層に配置される場合もある。
【先行技術文献】
【特許文献】
【０００３】
【特許文献１】特開２０００−５４６５６号公報
【発明の概要】
【発明が解決しようとする課題】
【０００４】
洗面所の採光性を向上させるために、例えば、この洗面所を建物の南側に配置したり、隣家の陰になりにくい建物の上層階に配置したりすれば、リビングルームや各自の部屋の採光性を確保しにくくなる。このため、例えば洗面所が、建物の北側や下層階等のように比較的日の当たりにくい場所に配置されていたとしても、この洗面所の採光性を向上させたいという要望があった。
【０００５】
本発明の課題は、比較的日の当たりにくい場所に配置されたとしても、採光性を向上させることが可能な洗面所の採光構造を提供することを目的とする。
【課題を解決するための手段】
【０００６】
請求項１に記載の発明は、例えば図１〜図７に示すように、住宅等の建物１に設けられた洗面所１０の採光構造において、
前記洗面所１０は、建物１の最上階１ｂよりも下方の階１ａに配置されており、
前記洗面所１０の少なくとも一部の上方は、この洗面所１０が配置された階１ａから、この階１ａよりも上方の階１ｂを通過し、建物１の屋根２に設けられた天窓３まで吹き抜ける吹抜け部２０とされている洗面所１０の採光構造であって、
前記洗面所１０および吹抜け部２０は、建物１の外壁４の内側面５に沿って配置され、この外壁４の上部に、前記屋根２が設けられており、
前記吹抜け部２０は、前記外壁４の内側面５を含む複数の壁面２１，２２，２３によって囲まれており、前記洗面所１０が配置された階１ａよりも上方の階１ｂに対して閉塞されており、
前記吹抜け部２０の下端部は、前記洗面所１０に向かって開口する開口部２５となっており、この開口部２５には、前記洗面所１０の天井１５と略面一となるようにルーバー２６が設けられており、
前記洗面所１０は、洗面台１７ａが設置される洗面台置場１７と、洗濯機１８ａが設置される洗濯機置場１８とを備えており、
前記洗面台置場１７および前記洗濯機置場１８は、前記吹抜け部２０の下方に配置されてなり、
前記洗面台置場１７と前記洗濯機置場１８との間には、前記洗面所１０の床１１から天井１５までの高さよりも若干高くなるように設定された仕切り壁１６が、前記外壁４の内側面５から洗面所１０の中央側に突出するように設けられるとともに、
前記仕切り壁１６の上端部のうち洗面所中央側の端部には、前記洗面所１０の天井１５の下面の位置と、前記吹抜け部２０を構成する壁面２１の下端部の位置とに合わせて切欠部１６aが形成されており、前記天井１５の外壁４側端部の一部と、前記吹抜け部２０を構成する壁面２１を構成する面材の下端部の一部とが、前記切欠部１６aの上面に載せられて支持されていることを特徴とする。
【０００７】
請求項１に記載の発明によれば、建物１の最上階１ｂよりも下方の階１ａに配置された前記洗面所１０の少なくとも一部の上方は前記吹抜け部２０とされているので、前記屋根２に設けられた天窓３から差し込む太陽光を、前記吹抜け部２０を通じて、前記洗面所１０へと差し込ませることができる。これによって、例えば前記洗面所１０が、建物１の北側や下層階等のように比較的日の当たりにくい場所に配置されていたとしても、採光性を確実に向上させることができる。しかも、前記洗面所１０の採光性を向上させるために、例えば、この洗面所１０を建物１の南側に配置したり、隣家の陰になりにくい建物１の上層階１ｂに配置したりする必要がなくなるので、前記洗面所１０以外の、建物１の南側や上層階１ｂに配置された部屋の採光を確保できる。
【０００９】
また、前記洗面所１０および吹抜け部２０は、建物１の外壁４の内側面５に沿って配置されているので、これら洗面所１０および吹抜け部２０は、建物１内部の周縁部に寄せて設けられることになる。
そして、前記外壁４を利用して前記洗面所１０および吹抜け部２０を形成できるので、例えば前記洗面所１０および吹抜け部２０を、平面視において建物１の中央側に配置した場合に比して、これら洗面所１０および吹抜け部２０を形成しやすい。すなわち、前記外壁４を利用する分、前記洗面所１０および吹抜け部２０を構成する内壁を減らすことができるので、施工性やコストの面で優れる。
さらに、前記洗面所１０および吹抜け部２０を、建物１内部の周縁部に寄せて形成できるので、前記洗面所１０以外の部屋（例えば、部屋１ｇ，１ｈ等）を配置しやすい。
また、前記外壁４の上部には、前記屋根２が設けられているので、この屋根２が例えば棟から前記外壁４に向かって傾斜する傾斜屋根であった場合に、前記吹抜け部２０の上下方向の長さを、より短くすることができる。すなわち、前記屋根２が陸屋根の場合や、吹抜け部２０が建物１の中央に形成され、前記洗面所１０から屋根２までの高さが高い場合に比して、前記吹抜け部２０の上下方向の長さを短くすることができるので、前記吹抜け部２０を形成しやすい。
しかも、前記吹抜け部２０の上下方向の長さを短くすることができるので、前記天窓３から取り込んだ太陽光を、前記洗面所１０に差し込ませやすくなり、前記洗面所１０の採光性をより向上できる。
また、例えば、建物の屋根が、法令上の高さ制限に対応した傾斜屋根である場合に、建物の最上階のうち、屋根の傾斜方向下方側の直下に位置する部位は、天井高が低く、デッドスペースとなる場合がある。ところが、前記屋根２が、上述のように法令上の高さ制限に対応した傾斜屋根であり、かつ前記最上階１ｂのうち前記屋根２の傾斜方向下方側の直下に位置する部位にデッドスペースがある場合には、前記吹抜け部２０は、前記外壁４の内側面５に沿って配置されているので、前記最上階１ｂの天井高の低いデッドスペースを利用できることとなる。したがって、建物１の最上階１ｂのスペースを有効活用できる。
【００１１】
しかも、前記吹抜け部２０は、前記外壁４の内側面５を含む複数の壁面２１，２２，２３によって囲まれており、前記洗面所１０が配置された階１ａよりも上方の階１ｂに対して閉塞されているので、例えば前記上方の階１ｂに対して開放された場合に比して、太陽光の反射面を増やすことができる。これによって、前記天窓３から取り込んだ太陽光を、前記洗面所１０に、前記複数の壁面５，２１，２２，２３を反射させながら確実に、かつ効率よく差し込ませることができ、前記洗面所１０の採光性をさらに向上できる。
【００１３】
加えて、前記洗面所１０の天井１５と略面一となる前記ルーバー２６によって、前記洗面所１０内から前記吹抜け部２０への視線の一部を遮蔽しながら、前記洗面所１０の天井１５をフラットに見せることができ、さらに、前記天窓３から取り込んだ太陽光を、前記洗面所１０に確実に差し込ませることができる。これによって、前記洗面所１０の天井１５の外観性を向上させつつ、前記洗面所１０の採光性も向上できるので、前記洗面所１０を快適に利用できる。
【００１５】
それに加えて、前記吹抜け部２０の下方に、前記洗面台置場１７および前記洗濯機置場１８が配置されているので、特に、前記洗面台１７ａや前記洗濯機１８ａを使用する際に、前記天窓３から取り込んだ太陽光による明るさを強く感じることができる。
それだけでなく、仕切り壁１６によって、洗面所１０の天井１５の外壁４側端部の一部と、吹抜け部２０の壁面２１を構成する面材の下端部の一部とを、下方から支持することができる。
【発明の効果】
【００１６】
本発明によれば、建物の最上階よりも下方の階に配置された洗面所の少なくとも一部の上方は吹抜け部とされているので、建物の屋根に設けられた天窓から差し込む太陽光を、吹抜け部を通じて、洗面所へと差し込ませることができる。これによって、例えば洗面所が、建物の北側や下層階等のように比較的日の当たりにくい場所に配置されていたとしても、採光性を確実に向上させることができる。しかも、洗面所の採光性を向上させるために、例えば、この洗面所を建物の南側に配置したり、隣家の陰になりにくい建物の上層階に配置したりする必要がなくなるので、洗面所以外の、建物の南側や上層階に配置された部屋の採光を確保できる。
それだけでなく、仕切り壁によって、洗面所の天井の外壁側端部の一部と、吹抜け部の壁面を構成する面材の下端部の一部とを、下方から支持することができる。
【図面の簡単な説明】
【００１７】
【図１】本発明に係る洗面所の採光構造が適用される建物を示す北側立面図である。
【図２】同、建物の二階を示す平断面図である。
【図３】同、建物の三階を示す平断面図である。
【図４】洗面所の北側の内観および吹抜け部の下端部を示す断面図である。
【図５】洗面所の東側の内観および吹抜け部の下端部を示す断面図である。
【図６】図５に示す吹抜け部の下端部の拡大図である。
【図７】図４に示す吹抜け部の下端部の拡大図である。
【発明を実施するための形態】
【００１８】
以下、図面を参照して本発明の実施の形態について説明する。
図１において符号１は、建物を示す。この建物１は、一階と、二階１ａと、三階１ｂとからなる三階建ての住宅とされており、上部には屋根２が設けられている。なお、本実施の形態において、前記屋根２は、法令上の高さ制限に対応した傾斜屋根とされており、特に、棟２ａの両側に傾斜する屋根面を備えた切妻屋根とされている。
また、建物１の周囲は外壁４によって構成されており、この外壁４の上部に、前記屋根２が設けられた状態となっている。
【００１９】
建物１の各階には、それぞれ複数の部屋が設けられており、これら各階は、階段１ｃおよび螺旋階段１ｄによって接続されている。
前記一階には、図１に示すように玄関１ｅや部屋１ｆ等が設けられている。
前記二階１ａの南側には、図２に示すように、前記螺旋階段１ｄが設置されるとともに、リビングルームとダイニングルームとキッチンルームの機能を一室に併存させた部屋１ｇが配置されている。
また、前記二階１ａの北側には、前記階段１ｃに隣接してトイレ７および廊下９が配置されている。さらに、これらトイレ７および廊下９に隣接して洗面所１０が配置されている。さらに、この洗面所１０に隣接して浴室８が配置されている。前記階段１ｃと、前記トイレ７および廊下９と、前記洗面所１０と、前記浴室８とは、東西方向に並列した状態となっている。
前記三階１ｂには、前記階段１ｃと、廊下と、この廊下の北側に位置するとともに非常用進入口として利用されるバルコニーと、前記螺旋階段１ｄの上端部に位置する部屋と、この部屋の西側に配置された部屋１ｈとが設けられている。
【００２０】
前記洗面所１０は、図１〜図３に示すように、建物１の最上階である三階１ｂよりも下方の二階１ａに配置されている。
また、前記洗面所１０の少なくとも一部の上方は、この洗面所１０が配置された二階１ａから、この二階１ａよりも上方の三階１ｂを通過し、建物１の屋根２に設けられた天窓３まで吹き抜ける吹抜け部２０とされている。
すなわち、前記天窓３から取り込んだ太陽光を、前記吹抜け部２０を通じて、前記洗面所１０へと差し込ませることができるようになっている。
なお、前記天窓３は、図１に示すように、前記屋根２に複数設けられているが、この天窓３は前記洗面所１０および吹抜け部２０の直上に位置するものだけを指す。
また、日本では、太陽は、東の方角から昇り、南の空を通過して西へと沈む軌道を描くようにして移動するため、太陽光は南側から直射日光として降り注がれるが、太陽光としては、このような直射日光だけでなく、天空のあらゆる方向から地上に到達する天空光もある。したがって、前記二階１ａの北側に配置された洗面所１０の直上の前記天窓３からは、前記洗面所１０に向かって、天空光が多く差し込まれることになる。
【００２１】
前記洗面所１０および吹抜け部２０は、図２〜図７に示すように、上部に前記屋根２が設けられた前記外壁４の内側面５に沿って配置されている。すなわち、これら洗面所１０および吹抜け部２０は、建物１内部の周縁部に寄せて設けられることになる。
また、これら洗面所１０および吹抜け部２０は、特に、北側の外壁４の内側面５に沿って配置されている。すなわち、これら洗面所１０および吹抜け部２０は、建物１の南側でもなく、平面視において建物１の中央側でもなく、建物１内部の北側の周縁部に寄せて配置されていることになる。
そして、このように前記外壁４を利用して前記洗面所１０および吹抜け部２０を形成できるので、例えば前記洗面所１０および吹抜け部２０を、平面視において建物１の中央側に配置した場合に比して、これら洗面所１０および吹抜け部２０を形成しやすい。すなわち、前記外壁４を利用する分、前記洗面所１０および吹抜け部２０を構成する内壁を減らすことができるので、施工性やコストの面で優れる。
さらに、前記洗面所１０および吹抜け部２０を、建物１内部の周縁部に寄せて形成できるので、前記洗面所１０以外の部屋１ｇ等を配置しやすい。
また、前記屋根２は、法令上の高さ制限に対応した傾斜屋根であるため、前記最上階１ｂのうち前記屋根２の傾斜方向下方側の直下に位置する部位で、かつ前記外壁４の壁際に天井高の低いデッドスペースが生じやすくなるが、前記吹抜け部２０は、前記外壁４の内側面５に沿って配置されているので、前記最上階１ｂの天井高の低いデッドスペースを利用できることとなる。したがって、建物１の最上階１ｂのスペースを有効活用できる。
【００２２】
また、前記外壁４の上部には、上述のように前記屋根２が設けられているので、本実施の形態のように、前記屋根２が切妻屋根等の傾斜屋根であった場合には、前記吹抜け部２０の上下方向の長さを、より短くすることができる。すなわち、前記屋根２が陸屋根の場合や、前記吹抜け部２０が平面視において建物１の中央側に形成され、前記洗面所１０から屋根２までの高さが高い場合に比して、前記吹抜け部２０の上下方向の長さを短くすることができるので、前記吹抜け部２０を形成しやすい。
しかも、前記吹抜け部２０の上下方向の長さを短くすることができるので、前記天窓３から取り込んだ太陽光を、前記洗面所１０に差し込ませやすくなり、前記洗面所１０の採光性をより向上できる。
【００２３】
次に、前記洗面所１０の詳細について説明する。
前記洗面所１０は、前記外壁４の内側面５を含む複数の壁面１２，１３，１４によって囲まれている。すなわち、前記洗面所１０は、前記複数の壁面５，１２，１３，１４で囲まれることによって、一つの部屋領域として構成されている。
【００２４】
前記洗面所１０を構成する複数の壁面５，１２，１３，１４のうち、前記外壁４の内側面５と対向する壁面１２には開口部が形成されており、この開口部の内側（前記部屋１ｇ側）には、図２，図５に示すように、収納部１２ａが設けられている。
前記壁面１３には、前記洗面所１０と前記廊下９とを行き来するための出入口１３ａが設けられている。すなわち、この出入口１３ａは、前記廊下９に向かって開口する開口部と、この開口部に取り付けられる建具とによって構成されている。
前記壁面１４には、前記洗面所１０と前記浴室８とを行き来するための出入口１４ａが設けられている。すなわち、この出入口１４ａは、前記浴室８に向かって開口する開口部と、この開口部に取り付けられる建具とによって構成されている。
【００２５】
また、前記洗面所１０は、洗面台１７ａが設置される洗面台置場１７と、洗濯機１８ａが設置される洗濯機置場１８とを備える。
さらに、これら洗面台置場１７と洗濯機置場１８との間には、図２，図４〜図７に示すように、前記洗面所１０の床１１から天井１５までの高さよりも若干高くなるように設定された仕切り壁１６が設けられている。
【００２６】
前記仕切り壁１６は、平面視において、例えば袖壁のように、前記外壁４の内側面５から洗面所１０の中央側に突出するようにして配置されている。
また、前記仕切り壁１６の上端部のうち洗面所１０中央側の端部は、前記洗面所１０の天井１５の下面の位置と、前記吹抜け部２０を構成する壁面２１（後述する）の下端部の位置とに合わせて形成された切欠部１６ａとなっている。したがって、前記天井１５の外壁４側端部の一部と、後述する壁面２１を構成する面材の下端部の一部とが、前記仕切り壁１６の切欠部１６ａの上面に載せられ、支持された状態となっている。
【００２７】
また、前記仕切り壁１６の上端部のうち、前記切欠部１６ａを除く部分は、前記天井１５よりも若干高い位置に設けられており、前記吹抜け部２０の領域に入った状態となっている。この仕切り壁１６の上端部には、図４〜図７に示すように、この上端部の両端辺を見切る見切り枠材１６ｂが取り付けられている。これによって、前記仕切り壁１６の上端部の外観性を向上させることができる。
【００２８】
前記洗面台置場１７は、図２，図４，図５に示すように、前記仕切り壁１６と前記壁面１３との間に位置し、前記洗面台１７ａを設置するための領域を指している。
また、前記洗面台１７ａは、洗面ボウルやカウンター、鏡付収納棚等を備えた従来周知のものが採用されている。
【００２９】
前記洗濯機置場１８は、図２，図４，図５に示すように、前記仕切り壁１６と前記壁面１４との間に位置し、前記洗濯機１８ａを設置するための領域を指している。
また、この洗濯機置場１８には、図示はしないが、前記洗濯機１８ａの排水を流すための排水設備が設けられているものとする。
【００３０】
さらに、前記洗面台置場１７および前記洗濯機置場１８は、前記吹抜け部２０の下方に配置されているものとする。より詳細には、前記仕切り壁１６の切欠部１６ａの上面に、後述する壁面２１の下端部の一部が載せられているので、前記洗面台置場１７および前記洗濯機置場１８の領域の上方にのみ、前記吹抜け部２０が設けられることになる。
そして、このように前記吹抜け部２０の下方に、前記洗面台置場１７および前記洗濯機置場１８が配置されているので、特に、前記洗面台１７ａや前記洗濯機１８ａを使用する際に、前記天窓３から取り込んだ太陽光による明るさを強く感じることができる。
【００３１】
また、前記外壁４には、図１，図２，図４に示すように、前記洗濯機置場１８に面して配置される窓６が設けられている。なお、この窓６からも採光できるので、前記洗面所１０の採光効率を高めることができる。
さらに、この外壁４には、前記トイレ７に面して配置される窓７ａと、前記浴室８に面して配置される窓８ａも設けられている。
【００３２】
次に、前記吹抜け部２０の詳細について説明する。
前記吹抜け部２０は、前記外壁４の内側面５を含む複数の壁面２１，２２，２３によって囲まれている。すなわち、前記吹抜け部２０は、前記複数の壁面５，２１，２２，２３によって角筒状に構成されている。
また、この吹抜け部２０の下端部は、前記洗面所１０に向かって開口する開口部２５となっており、上端部には前記天窓３が設けられている。
【００３３】
さらに、前記吹抜け部２０は、前記洗面所１０が配置された階１ａよりも上方の階１ｂに対して閉塞されている。すなわち、この吹抜け部２０を構成する複数の壁面５，２１，２２，２３には、例えば開口部等が形成されず、この吹抜け部２０が前記三階１ｂの部屋等に対して開放されないように構成されている。
そして、このように前記吹抜け部２０が、前記洗面所１０が配置された階１ａよりも上方の階１ｂに対して閉塞されているので、この吹抜け部２０が、例えば前記三階１ｂに対して開放された場合に比して、太陽光の反射面を増やすことができる。これによって、前記天窓３から取り込んだ太陽光を、前記洗面所１０に、前記複数の壁面５，２１，２２，２３を反射させながら確実に、かつ効率よく差し込ませることができる。
【００３４】
なお、前記吹抜け部２０を構成する複数の壁面５，２１，２２，２３のうち、前記外壁４の内側面５と対向する壁面２１は、前記三階１ｂの部屋１ｈを構成する壁の外側面に位置するものである。したがって、前記部屋１ｈを構成する壁を利用して前記吹抜け部２０を形成できることになる。すなわち、前記吹抜け部２０は、前記部屋１ｈの北側に隣接して配置されてはいるものの、これら吹抜け部２０と前記部屋１ｈとは、前記壁によって隔絶された状態となっている。
さらに、この壁面２１を構成する面材の下端部は、上述のように前記仕切り壁１６の切欠部１６ａの上面に載せられている。
また、前記壁面２２は、前記トイレ７側に配置されるとともに、前記内側面５の側端部と前記壁面２１の側端部間に設けられている。
また、前記壁面２３は、前記浴室８側に配置されるとともに、前記内側面５の側端部と前記壁面２１の側端部間に設けられている。
なお、前記複数の壁面５，２１，２２，２３には、光を反射しやすい白色や銀色等の化粧シートや塗装材、鏡などの反射手段が設けられていてもよい。
【００３５】
前記複数の壁面２１，２２，２３を構成する面材は、図４〜図７に示すように、前記洗面所１０の天井裏に配置された複数の結合材１５ａによって、前記天井１５の面材と結合されている。
なお、この結合材１５ａは、図示はしないが、前記洗面所１０の周囲の構造材に対して強固に固定されているものとする。
また、前記天井１５の天井裏には換気装置１５ｂが設置されているが、前記天井１５自体も前記結合材１５ａによって支持されているため、前記換気装置１５ｂを確実に支持できるようになっている。
【００３６】
また、前記吹抜け部２０を囲む複数の壁面５，２１，２２，２３の一方には、照明器具２４が取り付けられている。本実施の形態においては、この照明器具２４は、図５，図６に示すように、前記壁面２１に取り付けられており、視界に入りにくく、間接照明としての機能を発揮できるようになっている。
また、この照明器具２４は、前記壁面２１の幅寸法に沿って長尺に形成されており、前記洗面台置場１７の上方と、前記洗濯機置場１８の上方とにわたって設けられている。
このように照明器具２４を取り付けておけば、例えば天気の悪い日や夜間など、必要に応じて前記洗面所１０内を明るくすることができるので、好ましい。
なお、この照明器具２４は、図示しない電源に接続され、電力供給されているものとする。
【００３７】
また、前記吹抜け部２０の下端部の前記開口部２５には、図４〜図７に示すように、前記洗面所１０の天井１５と略面一となるようにルーバー２６が設けられている。このルーバー２６は、複数の羽板を格子状に縦横に組んでなるものであり、光や空気が通過する多数の孔が形成されたものである。
なお、上述のように、前記仕切り壁１６の上端部の切欠部１６ａを除く部分が、前記天井１５よりも若干高い位置に設けられているので、前記開口部２５は、図４，図７に示すように、前記仕切り壁１６の上端部によって、前記洗面台置場１７側と、前記洗濯機置場１８側とに仕切られた状態となっている。
したがって、前記ルーバー２６も、前記開口部の２５の前記洗面台置場１７側と、前記洗濯機置場１８側のそれぞれに設けられている。
【００３８】
また、前記ルーバー２６は、図６，図７に示すように、前記仕切り壁１６の上端部の側面や、前記複数の壁面５，２１，２２，２３に取り付けられた複数の支持部材２７によって支持されている。
前記支持部材２７は、断面略Ｌ字状に形成されており、この支持部材２７の長さ方向に同一断面となるように構成されている。すなわち、いわゆる断面Ｌ型に形成されたアングル材のように形成されている。
【００３９】
そして、このようなルーバー２６によれば、前記洗面所１０内から前記吹抜け部２０への視線の一部を遮蔽しながら、前記洗面所１０の天井１５をフラットに見せることができ、さらに、前記天窓３から取り込んだ太陽光を、前記洗面所１０に確実に差し込ませることができる。なお、前記壁面２１には、前記照明器具２４が取り付けられているので、前記ルーバー２６によって前記照明器具２４を遮蔽することができる。
これによって、前記洗面所１０の天井１５の外観性を向上させつつ、前記洗面所１０の採光性も向上できるので、前記洗面所１０を快適に利用できる。
また、図示はしないが、本実施の形態の建物１が、箱状に形成された建物ユニットを複数並べて組み合せることで構築されるユニット式建物である場合には、前記吹抜け部２０内に、例えば水平筋交い（水平ブレース）等の建物ユニットの一部が露出する場合があるが、前記ルーバー２６が前記開口部２５に設けられているので、このルーバー２６によって前記水平筋交い等の建物ユニットの一部を遮蔽することができる。
【００４０】
なお、前記天窓３や前記窓６を始めとする各種窓は、本実施の形態においては開閉自在に設定されており、採光だけでなく、換気も適宜行うことが可能となっている。ただし、これに限られるものではなく、例えば雨仕舞いの都合等で、前記天窓３を嵌め殺しにしても良く、適宜変更可能である。
【００４１】
本実施の形態によれば、建物１の最上階１ｂよりも下方の階１ａに配置された前記洗面所１０の少なくとも一部の上方は前記吹抜け部２０とされているので、前記屋根２に設けられた天窓３から差し込む太陽光を、前記吹抜け部２０を通じて、前記洗面所１０へと差し込ませることができる。これによって、例えば前記洗面所１０が、建物１の北側や下層階等のように比較的日の当たりにくい場所に配置されていたとしても、採光性を確実に向上させることができる。しかも、前記洗面所１０の採光性を向上させるために、例えば、この洗面所１０を建物１の南側に配置したり、隣家の陰になりにくい建物１の上層階１ｂに配置したりする必要がなくなるので、前記洗面所１０以外の、建物１の南側や上層階１ｂに配置された部屋の採光を確保できる。
【符号の説明】
【００４２】
１  建物
１ａ  下階（二階）
１ｂ  上階（三階）
２  屋根
３  天窓
４  外壁
５  内側面
１０  洗面所
２０  吹抜け部
２１  壁面
２２  壁面
２３  壁面
【図１】
0005726772.tif 000002
【図２】
0005726772.tif 000003
【図３】
0005726772.tif 000004
【図４】
0005726772.tif 000005
【図５】
0005726772.tif 000006
【図６】
0005726772.tif 000007
【図７】
0005726772.tif 000008